(57)【要約】【課題】宇宙の軌道エネルギーの式を3種類に考えて、その内1番妥当である式は、中心のブラックホールの10n太陽質量が変化する場合であるとした。しかし、この式で計算すると、10−16ｍ時代のエネルギーは10−14ｍ時代のエネルギーの2.155×10倍であり、100倍ではない。【解決手段】軌道エネルギーの式で、1番妥当である式は、軌道エネルギーが10倍（又は1/10倍）に成る場合である。この式により、外側の軌道半径の軌道エネルギーと速度を理解する。宇宙の中心のブラックホールから噴射するジェット噴射はどこまで飛び、現代その軌道半径はいくらに成っているかを理解する。宇宙の時代において、電子のラブが1秒間に作る磁気の光子が1mの原子数を規定し、1m3の原子を集めている事を理解し、原子間の引力を作っている事を理解する。E=mc2は地表だけで成立し、宇宙では、E=mc2×Aである。10−16ｍ時代、10−15ｍ時代、10−14ｍ時代の宇宙の状態を理解する。【選択図】図１
2013240143.tif 000002
【特許請求の範囲】
【請求項１】
1番妥当である式は、軌道エネルギーが10倍(又は1/10)に成る場合とする。
その場合の軌道エネルギーの式と外側の軌道半径と外側の軌道エネルギーと速度を示す。
まとめ。特願2012−097215の表より。
・中心のブラックホールが作る軌道エネルギーの式が10の倍数に成る場合、外側の軌道の軌道エネルギーと速度を示す。
表12
2013240143.tif 000014
・中心のブラックホールが作る軌道エネルギーの式が10の倍数に成る場合、現代光速の軌道半径の変化とその軌道エネルギーと速度を示す。
表13
2013240143.tif 000015
この表により理解できる事。
1．時代が10倍に成るに従って、軌道エネルギーの式は1/10になる。
2．時代が10倍に成るに従って、軌道エネルギー（引力）は1/100に成る。
3．時代が10倍に成るに従って、軌道の速度は1/10に成る。
【請求項２】
エネルギーがA倍の場では、引力はA2倍である。この考えに従って、宇宙のエネルギーと引力を再検討する。
Aは地表のエネルギーを1とする場合の比較倍数です。
宇宙の時代は、電子のラブの公転軌道を示します。
例えば、地表の電子のラブの公転軌道は1.058×10−10mです。約10−10mは地表の電子のラブの公転軌道です。この軌道の場のエネルギーをA=1とします。
それで、宇宙のAとエネルギーと引力は次の表のように成ります。
・軌道エネルギーが10倍(又は1/10)に成る場合の、軌道エネルギーの式と外側の軌道半径と外側の軌道エネルギーと速度とAとエネルギーの比と引力（軌道エネルギー）の比を示す。
表14
2013240143.tif 000016
この事により理解できる事。
1．このまま宇宙が膨張する場合、筒状に成り、存在できる範囲は10−13m時代であり、外側の軌道エネルギー（引力）は、5.336×104Jで、速度は2.310×102Kmです。
・軌道エネルギーが10倍(又は1/10)に成る場合の、軌道エネルギーの式と光速だった軌道の軌道半径と外側の軌道エネルギーと速度とAとエネルギーの比と引力（軌道エネルギー）の比を示す。
表15
2013240143.tif 000017
この事により理解できる事。
1．光速だった軌道範囲はブラックホールの中の軌道である。
2．このまま宇宙が膨張する場合、筒として存在できるのは、10−11m時代であり、軌道エネルギー（引力）は5.336×104Jで、速度は2.310×102Kmです。この場には何も存在しない。
【請求項３】
軌道エネルギーが81×1020Jである軌道半径はいくらか。
軌道エネルギーが81×1020Jである軌道半径を、軌道エネルギーが10倍(又は1/10)に成る場合の、軌道エネルギーの式で計算する。
この事については、特願2012−097215の「請求項27」に記した。
それを表に示す。
表16
2013240143.tif 000018
この事によって理解できる事。
１．インフレーションの軌道エネルギーは各時代の軌道半径に残っている。
2．インフレーションの時できた巨大軌道エネルギーは消えることなく宇宙の中心の軌道半径に残っている。
3．インフレーションは体験できなかったし、観察する事も出来ません。しかし、時代がすすむにつれて、その軌道を小さくし、宇宙の中心の軌道の中に存在し続けている。
4．インフレーションのエネルギーは消えてしまうことなく、宇宙の中心の軌道に存在する。
5．インフレーションがおきた時、そのエネルギーは外側だけに向かったのではなく、内側にも向かった。これは作用の力と反作用の力です。
6．インフレーションの力が中心にブラックホールを作った。
7．宇宙収縮の時、この軌道は膨張し、再びインフレーションをおこす。
8．宇宙収縮の時、インフレーションは大きな超新星爆発のようなものです。
【請求項４】
宇宙の中央に、2.631×1013太陽質量のブラックホールができた時、ジェット噴射はどこまで飛んだか。この軌道半径は何光年か。この軌道半径は現在どれくらいの軌道半径に成っているか。
この問題については、2011年7月8日に提出した、特願2011−151316の「請求項7」に記した。その再考察です。
ジェットが噴出した時代を10−16m時代であり、クエーサーができる時代であるとする。場のエネルギーは、現代の宇宙の102倍のエネルギーの場である。
それで、出発するジェットのエネルギーは102倍です。
ジェットが届く距離＝6.598×109×β1/3Km×102＝6.477×1011×10n/3Km×102＝6.477×1011×(2.631×1013)1/3Km×102＝6.477×1011×26.311/3×104 Km×102＝6.477×1011×2.974×104 Km×102＝1.926×1018Km
宇宙の中央に、2.631×1013太陽質量のブラックホールができた時、ジェット噴射は、軌道半径1.926×1018Kmまで飛んだ。
この軌道半径は、1.926×1018Km÷(9.46×1012Km)＝2.036×105  光年です。
10−16m時代ジェットは軌道半径2.036×105  光年まで届き、この軌道半径にたくさんのクエーサーを作った。
この軌道半径は10−16m時代から、10−14m時代に成り、100倍に拡大したので、この軌道半径は現在2.036×105  光年×100＝2.036×107  光年、です。
それで、現在、軌道半径2.036×107  光年の軌道にたくさんの銀河が存在する。
【請求項５】
宇宙の時代における、素粒子の状態はどうであったか。
私は、2009年11月6日に提出した、特願2009−25569、「宇宙の膨張と収縮とインフレーション」で次のように理解した。
・1秒間に作る磁気の光子のエネルギー＝電子のラブが1公転で作る磁気の光子のエネルギー×1秒間の公転数＝1.233×10−41J÷電子のラブの公転軌道×（7.96×107）2＝7.812×10−26Jm÷電子のラブの公転軌道
・1mの原子数は1秒間に作る磁気の光子のエネルギーの何倍か。
10−16m時代。1m3の原子数は1018個ですから、1mの原子数は106個です。1秒間に作る磁気の光子のエネルギーは7.812×10−10Jです。
1mの原子数÷1秒間に作る磁気の光子のエネルギー＝106個÷（7.812×10−10J）＝1.280×1015。
1mの原子数＝1.280×1015×1秒間に作る磁気の光子のエネルギー
10−15m時代。1m3の原子数は1015個ですから、1mの原子数は105個です。1秒間に作る磁気の光子のエネルギーは7.812×10−11Jです。
1mの原子数÷1秒間に作る磁気の光子のエネルギー＝105個÷（7.812×10−11J）＝1.280×1015。
1mの原子数＝1.280×1015×1秒間に作る磁気の光子のエネルギー
よって、1mの原子数は1秒間に作る磁気の光子のエネルギーの1.280×1015倍です。
・1原子と1原子の間の距離はいくらか。
10am時代とする。
1原子と1原子の間の距離＝1m÷1mの原子数＝1m÷（1.280×1015×1秒間に作る磁気の光子のエネルギー）＝1m÷（1.280×1015×7.812×10−26Jm÷電子のラブの公転軌道）＝1m÷（10-10Jm÷10am）=1010+am。
1原子と1原子の間の距離は1010+amです。
・1原子と1原子との間の引力はいくらか。
1原子と1原子との間の引力＝1電子のラブが1秒間に作る磁気の光子のエネルギー2÷1原子と1原子の間の距離2＝（7.812×10−26Jm÷10am）2÷（1010+am）2＝61.027×10−52J÷102a÷1020＋2am=6.102×10−51×10−2a -20-2aJ/m=6.102×10−71-4a
J/m
1原子と1原子との間の引力は6.102×10−71-4a J/mです。
・宇宙の時代における、素粒子の状態。
表17
2013240143.tif 000019
この事により理解できる事。
1．電子のラブの公転軌道が10倍に成ると、1秒間に作る磁気の光子のエネルギー（引力）は1/10になる。その事により、間隔は10倍になる。
2．電子のラブの公転軌道が10倍に成ると、1秒間に作る磁気の光子のエネルギー（引力）は1/10になる。その事により、1mの原子数(素粒子数)は1/10になる。
3．電子のラブの公転軌道が10倍に成ると、1秒間に作る磁気の光子のエネルギー（引力）は1/10になり、間隔は10倍になるので、引力＝磁気の光子のエネルギー２÷距離2であるから、10−4倍に成る。
【請求項６】
宇宙の時代において、電子のラブのエネルギーと陽子のラブのエネルギーはいくらか。
電子のラブのエネルギー＝8.665×10−24Jm÷電子のラブの公転軌道＝8.665×10−24Jm÷10am＝8.665×10−24−aJ
陽子のラブのエネルギー電子のラブのエネルギー×1834＝8.665×10−24−aJ×1834＝1.589×10−20-aJ
10-20m時代。
電子のラブのエネルギー＝8.665×10−24+20J＝8.665×10−4J
陽子のラブのエネルギー＝1.589×10−20＋20J＝1.589J
10-19m時代。
電子のラブのエネルギー＝8.665×10−24+19J＝8.665×10−5J
陽子のラブのエネルギー＝1.589×10−20＋19J＝1.589×10−1J
10-18m時代。
電子のラブのエネルギー＝8.665×10−24+18J＝8.665×10−６J
陽子のラブのエネルギー＝1.589×10−20＋18J＝1.589×10−2J
10-17m時代。
電子のラブのエネルギー＝8.665×10−24+17J＝8.665×10−７J
陽子のラブのエネルギー＝1.589×10−20＋17J＝1.589×10−3J
10-16m時代。
電子のラブのエネルギー＝8.665×10−24+16J＝8.665×10−8J
陽子のラブのエネルギー＝1.589×10−20＋16J＝1.589×10−4J
10-15m時代。
電子のラブのエネルギー＝8.665×10−24+15J＝8.665×10−9J
陽子のラブのエネルギー＝1.589×10−20＋15J＝1.589×10−5J
10-14m時代。
電子のラブのエネルギー＝8.665×10−24+14J＝8.665×10−10J
陽子のラブのエネルギー＝1.589×10−20＋14J＝1.589×10−6J
10-13m時代。
電子のラブのエネルギー＝8.665×10−24+13J＝8.665×10−11J
陽子のラブのエネルギー＝1.589×10−20＋13J＝1.589×10−7J
10-12m時代。
電子のラブのエネルギー＝8.665×10−24+12J＝8.665×10−12J
陽子のラブのエネルギー＝1.589×10−20＋12J＝1.589×10−8J
10-11m時代。
電子のラブのエネルギー＝8.665×10−24+11J＝8.665×10−13J
陽子のラブのエネルギー＝1.589×10−20＋11J＝1.589×10−9J
10-10m時代。
電子のラブのエネルギー＝8.665×10−24+10J＝8.665×10−14J
陽子のラブのエネルギー＝1.589×10−20＋10J＝1.589×10−10J
【請求項７】
地表では、E=mc2ですが、宇宙の時代ではどのようであるか。
地表では、電子のラブのエネルギーは、8.665×10−14Jです。厳密には、電子のラブの軌道が1.05836×10−10mなので、8.187×10−14Jです。電子のラブの質量は9.1095×10−31ｇです。
E=mc２＝9.1095×10−31ｇ×9×1016＝8.198×10−14J
それで、8.665×10−14J＝mc2とみなすと、
10−16m時代、電子のラブのエネルギーは8.665×10−８Jですから、8.665×10−8J ÷（8.198×10−14J）＝106  E=mc2×106＝mc2×A、です。
10−15m時代、電子のラブのエネルギーは8.665×10−9Jですから、8.665×10−9J ÷（8.198×10−14J）＝105  E=mc2×105＝mc2×A、です。
10−14m時代、電子のラブのエネルギーは8.665×10−10Jですから、8.665×10−10J ÷（8.198×10−14J）＝104  E=mc2×104＝mc2×A、です。
同様に、地表では、陽子のラブのエネルギーは、1.589×10−10Jです。厳密には、陽子のラブの軌道が5.764×10−14mなので、1.5×10−10Jです。陽子のラブの質量は1.67265×10−27ｇです。
E=mc２＝1.67265×10−27ｇ×9×1016＝1.505×10−10J
それで、1.589×10−10J＝mc2とみなすと
10−16m時代、陽子のラブのエネルギーは1.589×10−4Jですから、1.589×10−４J ÷（1.589×10−10J）＝106  E=mc2×106＝mc2×A、です。
10−15m時代、陽子のラブのエネルギーは1.589×10−5Jですから、1.589×10−5J ÷（1.589×10−10J）＝105  E=mc2×105＝mc2×A、です。
10−14m時代、陽子のラブのエネルギーは1.589×10−6Jですから、1.589×10−6J ÷（1.589×10−10J）＝104  E=mc2×104＝mc2×A、です。
表に示す。
・地表では、E=mc2ですが、宇宙の時代ではどのようであるか。
表18
2013240143.tif 000020
この事により理解できる事。
1．E=mc2の式が成立するのは、地表だけです。A=1の場だけです。
2．宇宙では、高エネルギーの場では、素粒子のエネルギーは場のエネルギーに比例し、高くなる。E=mc2×A、です。
3．宇宙では、低エネルギーの場では、素粒子のエネルギーは場のエネルギーに比例し、低くなる。E=mc2×A、です。
【請求項８】
10−14m時代、10−15m時代、10−16m時代、其々の軌道エネルギー、公転速度、螺旋回転の速度、1公転の距離、1螺旋回転の距離、螺旋回転で進んだ距離、螺旋回転の回転数はいくらか。
式
・軌道エネルギー＝軌道エネルギーの式÷軌道半径。
・公転速度＝軌道エネルギー1/2
・螺旋回転の速度＝公転速度×8.927
・1公転で進む距離＝2π×軌道半径
・１螺旋回転で進む距離＝1公転で進む距離×8.927
・螺旋回転で進む距離＝螺旋回転の速度×時代の秒数
・螺旋回転した回数＝螺旋回転で進む距離÷１螺旋回転で進む距離
10−16mの場合。
軌道エネルギー＝2.524×1029JKm÷（105×9.46×1012Km）＝2.668×1011J。公転速度＝（2.668×1011J）1/2=5.165×105Km
軌道エネルギー＝2.524×1029JKm÷（3×105×9.46×1012Km）＝8.894×1010J。公転速度＝（8.894×1010J）1/2=2.982×105Km
軌道エネルギー＝2.524×1029JKm÷（5×105×9.46×1012Km）＝5.336×1010J。公転速度＝（5.336×1010J）1/2=2.310×105Km
螺旋回転の速度＝5.165×105Km×8.927＝4.611×106Km
螺旋回転の速度＝2.982×105Km×8.927＝2.662×106Km
螺旋回転の速度＝2.310×105Km×8.927＝2.062×106Km
1公転で進む距離=2π×105×9.46×1012Km＝5.941×1018Km
1公転で進む距離=2π×3×105×9.46×1012Km＝1.782×1019Km
1公転で進む距離=2π×5×105×9.46×1012Km＝2.970×1019Km
１螺旋回転で進む距離＝5.941×1018Km×8.927＝5.304×1019Km
１螺旋回転で進む距離＝1.782×1019Km×8.927＝1.591×1020Km
１螺旋回転で進む距離＝2.970×1019Km×8.927＝2.651×1020Km
10−16m時代螺旋回転で進む距離＝4.611×106Km×108×365×24×60×60秒＝1.454×1022Km
10−16m時代螺旋回転で進む距離＝2.662×106Km×108×365×24×60×60秒＝8.396×1021Km
10−16m時代螺旋回転で進む距離＝2.062×106Km×108×365×24×60×60秒＝6.504×1021Km
螺旋回転した回数＝1.454×1022Km÷（5.304×1019Km）＝2.741×102（回転）
螺旋回転した回数＝8.396×1021Km÷（1.591×1020Km）＝5.277×10（回転）
螺旋回転した回数＝6.504×1021Km÷（2.651×1020Km）＝2.453×10（回転）
10−15mの場合。
軌道エネルギー＝2.524×1028JKm÷（106×9.46×1012Km）＝2.668×109J。公転速度＝（2.668×109J）1/2=5.165×104Km。
軌道エネルギー＝2.524×1028JKm÷（3×106×9.46×1012Km）＝8.894×108J。公転速度＝（8.894×108J）1/2=2.982×104Km。
軌道エネルギー＝2.524×1028JKm÷（5×106×9.46×1012Km）＝5.336×108J。公転速度＝（5.336×108J）1/2=2.310×104Km。
螺旋回転の速度＝5.165×104Km×8.927＝4.611×105Km
螺旋回転の速度＝2.982×104Km×8.927＝2.662×105Km
螺旋回転の速度＝2.310×104Km×8.927＝2.062×105Km
1公転で進む距離=2π×106×9.46×1012Km＝5.941×1019Km
1公転で進む距離=2π×3×106×9.46×1012Km＝1.782×1020Km
1公転で進む距離=2π×5×106×9.46×1012Km＝2.970×1020Km
１螺旋回転で進む距離＝5.941×1019Km×8.927＝5.304×1020Km
１螺旋回転で進む距離＝1.782×1020Km×8.927＝1.591×1021Km
１螺旋回転で進む距離＝2.970×1020Km×8.927＝2.651×1021Km
10−15m時代螺旋回転で進む距離＝4.611×105Km×109×365×24×60×60秒＝1.454×1022Km
10−15m時代螺旋回転で進む距離＝2.662×105Km×109×365×24×60×60秒＝8.396×1021Km
10−15m時代螺旋回転で進む距離＝2.062×105Km×109×365×24×60×60秒＝6.504×1021Km
螺旋回転した回数＝1.454×1022Km÷（5.304×1020Km）＝2.741×10（回転）
螺旋回転した回数＝8.396×1021Km÷（1.591×1021Km）＝5.277（回転）
螺旋回転した回数＝6.504×1021Km÷（2.651×1021Km）＝2.453（回転）
10−14mの場合。
軌道エネルギー＝2.524×1027JKm÷（107×9.46×1012Km）＝2.668×107J。公転速度＝（2.668×107）1/2=5.165×103Km。
軌道エネルギー＝2.524×1027JKm÷（3×107×9.46×1012Km）＝8.894×106J。公転速度＝（8.894×106J）1/2=2.982×103Km。
軌道エネルギー＝2.524×1027JKm÷（5×107×9.46×1012Km）＝5.336×106J。公転速度＝（5.336×106J）1/2=2.310×103Km。
螺旋回転の速度＝5.165×103Km×8.927＝4.611×104Km
螺旋回転の速度＝2.982×103Km×8.927＝2.662×104Km
螺旋回転の速度＝2.310×103Km×8.927＝2.062×104Km
1公転で進む距離＝2π×107×9.46×1012Km=5.941×1020Km
1公転で進む距離＝2π×3×107×9.46×1012Km=1.782×1021Km
1公転で進む距離＝2π×5×107×9.46×1012Km=2.970×1021Km
１螺旋回転で進む距離＝5.941×1020Km×8.927＝5.304×1021Km
１螺旋回転で進む距離＝1.782×1021Km×8.927＝1.591×1022Km
１螺旋回転で進む距離＝2.970×1021Km×8.927＝2.651×1022Km
10−14m時代螺旋回転で進む距離＝螺旋回転の速度×137億年の秒数＝4.611×104Km×1.37×1010×365×24×60×60秒＝1.992×1022Km
10−14m時代螺旋回転で進む距離＝2.662×104Km×1.37×1010×365×24×60×60秒＝1.150×1022Km
10−14m時代螺旋回転で進む距離＝2.062×104Km×1.37×1010×365×24×60×60秒＝8.909×1021Km
螺旋回転した回数＝1.992×1022Km÷（5.304×1021Km）＝3.756（回転）
螺旋回転した回数＝1.150×1022Km÷（1.591×1022Km）＝0.723（回転）
螺旋回転した回数＝8.909×1021Km÷（2.651×1022Km）＝0.336（回転）
・10−16m時代の宇宙の様子
表19
2013240143.tif 000021
・10−15m時代の宇宙の様子
表20
2013240143.tif 000022
・10−14m時代の宇宙の様子
表21
2013240143.tif 000023
この事により理解できたこと。
1．10−16m時代は、ブラックホール素子の時代（この事については、2007年8月25日に提出した、特願2007−246139に記した。）なので、軌道エネルギーは1010Km以上で、速度は105Km以上です。
2．高エネルギーの場ほど、軌道半径は小さい。これは、高エネルギーの場ほど、1秒間に作る磁気の光子のエネルギーが大きいからです。磁気の光子のエネルギーは引力として働くので、軌道半径は小さくなる。
3．高エネルギーの場ほど、公転速度や螺旋回転速度は速い。これは、高エネルギーの場ほど、1秒間に作る電気の光子のエネルギーが大きいからです。電気の光子のエネルギーは軌道の速度を作るので、1秒間に作る電気の光子のエネルギーが大きい軌道ほど公転速度や螺旋回転速度は速い。
4．どの時代でも螺旋回転で進む距離は変わらない。これは、螺旋回転で進む距離＝螺旋回転の速度×時代の秒数であり、螺旋回転の速度と時代の秒数は反比例するからです。但し、10−14m時代の秒数を1.37×1010年として計算したので、1.37倍に成っている。
5．高エネルギーの場ほど螺旋回転の速度は速く、時代の秒数は少ない。
6．高エネルギーの場ほど、螺旋回転数は多い。
【請求項９】
グレートウオ―ルが半径3×10７光年の軌道で、現在までに、1公転していると仮定すると、宇宙の軌道エネルギーの式は、4.827×1027Jm÷距離、です。宇宙の軌道エネルギー＝4.827×1027Jm÷距離、の式で、10−14m時代の、軌道エネルギー、公転速度、螺旋回転の速度、1公転で進む距離、１螺旋回転で進む距離、10−14m時代螺旋回転で進む距離、螺旋回転した回数を再度計算する。
この事については、2011年6月13日に提出した特願2011−130790に記した。
107光年の軌道エネルギー＝4.827×1027Jm÷（107×9.46×1012Km）＝5.103×107J。公転速度＝（5.103×107J）1/2=7.144×103Km
3×107光年の軌道エネルギー＝4.827×1027Jm÷（3×107×9.46×1012Km）＝1.701×107J。公転速度＝（1.701×107J）1/2=4.124×103Km
5×107光年の軌道エネルギー＝4.827×1027Jm÷（5×107×9.46×1012Km）＝1.021×107J。公転速度＝（1.021×107J）1/2=3.195×103Km
螺旋回転の秒速＝公転の秒速×8.927＝7.144×103Km×8.927＝6.377×104Km
螺旋回転の秒速＝4.124×103Km×8.927＝3.681×104Km
螺旋回転の秒速＝3.195×103Km×8.927＝2.852×104Km
1公転で進む距離＝2π×軌道半径＝2π×107×9.46×1012Km＝5.941×1020Km
1公転で進む距離＝2π×3×107×9.46×1012Km＝1.782×1021Km
1公転で進む距離＝2π×5×107×9.46×1012Km＝2.970×1021Km
１螺旋回転で進む距離＝1公転で進む距離×8.927＝5.941×1020Km×8.927＝5.304×1021Km
１螺旋回転で進む距離＝1.782×1021Km×8.927＝1.591×1022Km
１螺旋回転で進む距離＝2.970×1021Km×8.927＝2.651×1022Km
螺旋回転で進む距離＝螺旋回転の速度×137億年の秒数＝6.377×104Km×1.37×1010×365×24×60×60秒＝2.755×1022Km
螺旋回転で進む距離＝3.681×104Km×1.37×1010×365×24×60×60秒＝1.591×1022Km
螺旋回転で進む距離＝2.852×104Km×1.37×1010×365×24×60×60秒＝1.232×1022Km
螺旋回転した回数＝螺旋回転で進む距離÷１螺旋回転で進む距離＝2.755×1022Km÷（5.304×1021Km）＝5.194（回転）
螺旋回転した回数＝1.591×1022Km÷（1.591×1022Km）＝1（回転）
螺旋回転した回数＝1.232×1022Km÷（2.651×1022Km）＝0.465（回転）
・軌道エネルギー＝4.827×1027JKm÷軌道半径、の式で計算した場合の10−14m時代の宇宙の様子。
表22
2013240143.tif 000024
この事により理解できる事。
1．宇宙の軌道エネルギーの式により、軌道エネルギーも公転速度も螺旋回転の秒速も変わる。
2．宇宙の軌道エネルギーの式により、螺旋回転した回数も変わってくる。
3．2.524×1027JKm÷軌道半径の式により計算した場合、3×107光年のグレートウオールは、0.723回螺旋回転し、4.827×1027JKm÷軌道半径、の式により計算した場合は1回螺旋回転する事に成る。それで、宇宙の観察データーに基づき宇宙の軌道エネルギーを正確に計算できる。
【発明の詳細な説明】
【技術分野】
【０００１】
本発明は、宇宙の膨張と収縮と素粒子に関するものである。
【背景技術】
【０００２】
私は2012年4月21日に提出した、特願2012−097215、「宇宙の膨張と収縮」において、宇宙の軌道エネルギーの式を3種類に分けて考えた。１つは現在のままの軌道エネルギーが続く場合、１つは軌道エネルギーが10倍(又は1/10)に成る場合、１つは中心のブラックホールの10n太陽質量が変化する場合、です。この軌道エネルギーの式により時代の軌道半径の軌道エネルギー(引力)と速度を理解した。
【先行技術文献】
【特許文献】
【０００３】
【特許文献１】特願2007−246139
【特許文献２】特願2009−218192
【特許文献３】特願2011−130790
【特許文献４】特願2011−151316
【特許文献５】特願2012−070574
【特許文献６】特願2012−092549
【特許文献７】特願2012−097215
【発明の概要】
【発明が解決しようとする課題】
【０００４】
宇宙の軌道エネルギーの式を3種類に分けて考えて、その内1番妥当である式は、中心のブラックホールの10n太陽質量が変化する場合であるとした。しかし、この式の場合、10−16m時代の軌道エネルギーは、10−14m時代の軌道エネルギーの、5.438×1028JKm÷半径÷（2.524×1027JKm÷半径）＝2.155×10（倍）です。これは従来考えてきた、10−16m時代のエネルギーは、10−14m時代のエネルギーの100倍である事に反する。また、10−16m時代の外側の軌道エネルギーは、1.150×1010Jであり、10−14m時代の外側の軌道エネルギーは、5.336×106Jです。これは、10−16m時代の外側の軌道エネルギー（引力）は、10−14m時代の外側の軌道エネルギー（引力）の、1.150×1010J÷（5.336×106J）＝2.155×103（倍）です。これは従来考えてきた、10−16m時代の引力は、10−14m時代の引力の104倍である事に反する。
よって、1番妥当である式は、中心のブラックホールの10n太陽質量が変化する場合でない。。
それで、その内1番妥当である式は、軌道エネルギーが10倍(又は1/10)に成る場合であると考える。この考えに従って、再度宇宙の膨張と収縮を考え、その他の問題を考える。
【課題を解決するための手段】
【０００５】
軌道エネルギーの式の内1番妥当である式は、軌道エネルギーが10倍(又は1/10)に成る場合であると考える。この考えに従って、再度宇宙の膨張と収縮を考える。
【発明の効果】
【０００６】
次の事が理解できた。
・各時代の軌道エネルギーの式を、2.524×1027JKm÷軌道半径、の10倍(又は1/10)に成るとして、外側の軌道エネルギーと速度を理解できた。
1．時代が10倍に成るに従って、軌道エネルギーの式は1/10になる。
2．時代が10倍に成るに従って、軌道エネルギー（引力）は1/100に成る。
3．時代が10倍に成るに従って、軌道の速度は1/10に成る。
・各時代の外側の軌道半径とその軌道エネルギーと速度、Aの値と軌道エネルギー（引力）の比と2つの間の引力の比が理解できた。
1．このまま宇宙が膨張する場合、筒状に成り、存在できる範囲は10−13m時代であり、外側の軌道エネルギー（引力）は、5.336×104Jで、速度は2.310×102Kmです。
・光速だった軌道半径の軌道の変化とその軌道の軌道エネルギーと速度、各時代のAの値と軌道エネルギー（引力）の比と2つの間の引力の比が理解できた。
1．光速だった軌道範囲はブラックホールの中の軌道である。
2．このまま宇宙が膨張する場合、筒として存在できるのは、10−11m時代であり、軌道エネルギー（引力）は5.336×104Jで、速度は2.310×102Kmです。この場には何も存在しない。
・各時代における軌道エネルギーが、81×1020Jで、速度が9×1010Kmである軌道半径を求めた。
１．インフレーションの軌道エネルギーは各時代の軌道半径に残っている。
2．インフレーションの時できた巨大軌道エネルギーは消えることなく宇宙の中心の軌道半径に残っている。
3．インフレーションは体験できなかったし、観察する事も出来ません。しかし、時代がすすむにつれて、その軌道を小さくし、宇宙の中心の軌道の中に存在し続けている。
4．インフレーションのエネルギーは消えてしまうことなく、宇宙の中心の軌道に存在する。
5．インフレーションがおきた時、そのエネルギーは外側だけに向かったのではなく、内側にも向かった。これは作用の力と反作用の力です。
6．インフレーションの力が中心にブラックホールを作った。
7．宇宙収縮の時、この軌道は膨張し、再びインフレーションをおこす。
8．宇宙収縮の時、インフレーションは大きな超新星爆発のようなものです。
・各時代において、電子のラブが1秒間に作る磁気の光子のエネルギーが解り、磁気の光子が原子を引きつけ、集合させている。
・1mの原子数は1秒間に作る磁気の光子のエネルギーの1.280×1015倍です。
・1原子と1原子の間の距離は1010+amです。10amの公転軌道とする。
・1原子と1原子との間の引力は6.102×10−71-4a J/mです。
1．電子のラブの公転軌道が10倍に成ると、1秒間に作る磁気の光子のエネルギー（引力）は1/10になる。その事により、間隔は10倍になる。
2．電子のラブの公転軌道が10倍に成ると、1秒間に作る磁気の光子のエネルギー（引力）は1/10になる。その事により、1mの原子数(素粒子数)は1/10になる。
3．電子のラブの公転軌道が10倍に成ると、1秒間に作る磁気の光子のエネルギー（引力）は1/10になり、間隔は10倍になるので、引力＝磁気の光子のエネルギー２÷距離2であるから、10−4倍に成る。
・E=mc2であるのは地表だけであり、宇宙では、E=mc2×Aです。
・宇宙の軌道エネルギーの式を軌道エネルギーが10倍(又は1/10)に成る場合とし、各時代の軌道エネルギー、公転速度、螺旋回転速度、1公転の距離、1螺旋回転の距離、螺旋回転で進む距離、螺旋回転した回数が理解できた。
1．10−16m時代は、ブラックホール素子の時代（この事については、2007年8月25日に提出した、特願2007−246139に記した。）なので、軌道エネルギーは1010Km以上で、速度は105Km以上です。
2．高エネルギーの場ほど、軌道半径は小さい。これは、高エネルギーの場ほど、1秒間に作る磁気の光子のエネルギーが大きいからです。磁気の光子のエネルギーは引力として働くので、軌道半径は小さくなる。
3．高エネルギーの場ほど、公転速度や螺旋回転速度は速い。これは、高エネルギーの場ほど、1秒間に作る電気の光子のエネルギーが大きいからです。電気の光子のエネルギーは軌道の速度を作るので、1秒間に作る電気の光子のエネルギーが大きい軌道ほど公転速度や螺旋回転速度は速い。
4．どの時代でも螺旋回転で進む距離は変わらない。これは、螺旋回転で進む距離＝螺旋回転の速度×時代の秒数であり、螺旋回転の速度と時代の秒数は反比例するからです。但し、10−14m時代の秒数を1.37×1010年として計算したので、1.37倍に成っている。
5．高エネルギーの場ほど螺旋回転の速度は速く、時代の秒数は少ない。
6．高エネルギーの場ほど、螺旋回転数は多い。
・4.827×1027JKm÷軌道半径、の式により10−14m時代の軌道エネルギー、公転速度、螺旋回転速度、1公転の距離、1螺旋回転の距離、螺旋回転で進む距離、螺旋回転した回数が理解できた。
1．宇宙の軌道エネルギーの式により、軌道エネルギーも公転速度も螺旋回転の秒速も変わる。
2．宇宙の軌道エネルギーの式により、螺旋回転した回数も変わってくる。
3．2.524×1027JKm÷軌道半径の式により計算した場合、3×107光年のグレートウオールは、0.723回螺旋回転し、4.827×1027JKm÷軌道半径、の式により計算した場合は1回螺旋回転する事に成る。それで、宇宙の観察データーに基づき宇宙の軌道エネルギーを正確に計算できる。
【図面の簡単な説明】
【０００７】
【図１】図１は10−16m時代、宇宙の中央の2.631×1013太陽質量のブラックホールからジェットが噴出した。この場のエネルギーは、現代の宇宙の102倍のエネルギーの場である。それで、ジェットが届く距離＝6.598×109×β1/3Km×102＝6.477×1011×10n/3Km×102＝6.477×1011×(2.631×1013)1/3Km×102＝6.477×1011×26.311/3×104 Km×102＝6.477×1011×2.974×104 Km×102＝1.926×1018Km。この軌道半径は、1.926×1018Km÷(9.46×1012Km)＝2.036×105  光年です。10−16m時代ジェットは軌道半径2.036×105  光年まで届き、この軌道半径にたくさんのクエーサーを作った。この軌道半径は10−16m時代から、10−14m時代に成り、100倍に拡大したので、この軌道半径は現在2.036×105  光年×100＝2.036×107  光年、です。それで、現在、軌道半径2.036×107  光年の軌道にたくさんの銀河が存在する。
【発明を実施するための形態】
【０００８】
１．    1番妥当である式は、軌道エネルギーが10倍(又は1/10)に成る場合とする。
その場合の軌道エネルギーの式と外側の軌道半径と外側の軌道エネルギーと速度を示す。
まとめ。特願2012−097215の表より。
・中心のブラックホールが作る軌道エネルギーの式が10の倍数に成る場合、外側の軌道の軌道エネルギーと速度を示す。
表1
2013240143.tif 000003
・中心のブラックホールが作る軌道エネルギーの式が10の倍数に成る場合、現代光速の軌道半径の変化とその軌道エネルギーと速度を示す。
表２
2013240143.tif 000004
この表により理解できる事。
1．時代が10倍に成るに従って、軌道エネルギーの式は1/10になる。
2．時代が10倍に成るに従って、軌道エネルギー（引力）は1/100に成る。
3．時代が10倍に成るに従って、軌道の速度は1/10に成る。
２．    エネルギーがA倍の場では、引力はA2倍である。この考えに従って、宇宙のエネルギーと引力を再検討する。
Aは地表のエネルギーを1とする場合の比較倍数です。
宇宙の時代は、電子のラブの公転軌道を示します。
例えば、地表の電子のラブの公転軌道は1.058×10−10mです。約10−10mは地表の電子のラブの公転軌道です。この軌道の場のエネルギーをA=1とします。
それで、宇宙のAとエネルギーと引力は次の表のように成ります。
・軌道エネルギーが10倍(又は1/10)に成る場合の、軌道エネルギーの式と外側の軌道半径と外側の軌道エネルギーと速度とAとエネルギーの比と引力（軌道エネルギー）の比を示す。
表3
2013240143.tif 000005
この事により理解できる事。
1．このまま宇宙が膨張する場合、筒状に成り、存在できる範囲は10−13m時代であり、外側の軌道エネルギー（引力）は、5.336×104Jで、速度は2.310×102Kmです。
・軌道エネルギーが10倍(又は1/10)に成る場合の、軌道エネルギーの式と光速だった軌道の軌道半径と外側の軌道エネルギーと速度とAとエネルギーの比と引力（軌道エネルギー）の比を示す。
表4
2013240143.tif 000006
この事により理解できる事。
1．光速だった軌道範囲はブラックホールの中の軌道である。
2．このまま宇宙が膨張する場合、筒として存在できるのは、10−11m時代であり、軌道エネルギー（引力）は5.336×104Jで、速度は2.310×102Kmです。この場には何も存在しない。
３．    軌道エネルギーが81×1020Jである軌道半径はいくらか。
軌道エネルギーが81×1020Jである軌道半径を、軌道エネルギーが10倍(又は1/10)に成る場合の、軌道エネルギーの式で計算する。
この事については、特願2012−097215の「請求項27」に記した。
それを表に示す。
表5
2013240143.tif 000007
この事によって理解できる事。
１．インフレーションの軌道エネルギーは各時代の軌道半径に残っている。
2．インフレーションの時できた巨大軌道エネルギーは消えることなく宇宙の中心の軌道半径に残っている。
3．インフレーションは体験できなかったし、観察する事も出来ません。しかし、時代がすすむにつれて、その軌道を小さくし、宇宙の中心の軌道の中に存在し続けている。
4．インフレーションのエネルギーは消えてしまうことなく、宇宙の中心の軌道に存在する。
5．インフレーションがおきた時、そのエネルギーは外側だけに向かったのではなく、内側にも向かった。これは作用の力と反作用の力です。
6．インフレーションの力が中心にブラックホールを作った。
7．宇宙収縮の時、この軌道は膨張し、再びインフレーションをおこす。
8．宇宙収縮の時、インフレーションは大きな超新星爆発のようなものです。
４．    宇宙の中央に、2.631×1013太陽質量のブラックホールができた時、ジェット噴射はどこまで飛んだか。この軌道半径は何光年か。この軌道半径は現在どれくらいの軌道半径に成っているか。
この問題については、2011年7月8日に提出した、特願2011−151316の「請求項7」に記した。その再考察です。
ジェットが噴出した時代を10−16m時代であり、クエーサーができる時代であるとする。場のエネルギーは、現代の宇宙の102倍のエネルギーの場である。
それで、出発するジェットのエネルギーは102倍です。
ジェットが届く距離＝6.598×109×β1/3Km×102＝6.477×1011×10n/3Km×102＝6.477×1011×(2.631×1013)1/3Km×102＝6.477×1011×26.311/3×104 Km×102＝6.477×1011×2.974×104 Km×102＝1.926×1018Km
宇宙の中央に、2.631×1013太陽質量のブラックホールができた時、ジェット噴射は、軌道半径1.926×1018Kmまで飛んだ。
この軌道半径は、1.926×1018Km÷(9.46×1012Km)＝2.036×105  光年です。
10−16m時代ジェットは軌道半径2.036×105  光年まで届き、この軌道半径にたくさんのクエーサーを作った。
この軌道半径は10−16m時代から、10−14m時代に成り、100倍に拡大したので、この軌道半径は現在2.036×105  光年×100＝2.036×107  光年、です。
それで、現在、軌道半径2.036×107  光年の軌道にたくさんの銀河が存在する。
５．    宇宙の時代における、素粒子の状態はどうであったか。
私は、2009年11月6日に提出した、特願2009−25569、「宇宙の膨張と収縮とインフレーション」で次のように理解した。
・1秒間に作る磁気の光子のエネルギー＝電子のラブが1公転で作る磁気の光子のエネルギー×1秒間の公転数＝1.233×10−41J÷電子のラブの公転軌道×（7.96×107）2＝7.812×10−26Jm÷電子のラブの公転軌道
・1mの原子数は1秒間に作る磁気の光子のエネルギーの何倍か。
10−16m時代。1m3の原子数は1018個ですから、1mの原子数は106個です。1秒間に作る磁気の光子のエネルギーは7.812×10−10Jです。
1mの原子数÷1秒間に作る磁気の光子のエネルギー＝106個÷（7.812×10−10J）＝1.280×1015。
1mの原子数＝1.280×1015×1秒間に作る磁気の光子のエネルギー
10−15m時代。1m3の原子数は1015個ですから、1mの原子数は105個です。1秒間に作る磁気の光子のエネルギーは7.812×10−11Jです。
1mの原子数÷1秒間に作る磁気の光子のエネルギー＝105個÷（7.812×10−11J）＝1.280×1015。
1mの原子数＝1.280×1015×1秒間に作る磁気の光子のエネルギー
よって、1mの原子数は1秒間に作る磁気の光子のエネルギーの1.280×1015倍です。
・1原子と1原子の間の距離はいくらか。
10am時代とする。
1原子と1原子の間の距離＝1m÷1mの原子数＝1m÷（1.280×1015×1秒間に作る磁気の光子のエネルギー）＝1m÷（1.280×1015×7.812×10−26Jm÷電子のラブの公転軌道）＝1m÷（10-10Jm÷10am）=1010+am。
1原子と1原子の間の距離は1010+amです。
・1原子と1原子との間の引力はいくらか。
1原子と1原子との間の引力＝1電子のラブが1秒間に作る磁気の光子のエネルギー2÷1原子と1原子の間の距離2＝（7.812×10−26Jm÷10am）2÷（1010+am）2＝61.027×10−52J÷102a÷1020＋2am=6.102×10−51×10−2a -20-2aJ/m=6.102×10−71-4a
J/m
1原子と1原子との間の引力は6.102×10−71-4a J/mです。
・宇宙の時代における、素粒子の状態。
表6
2013240143.tif 000008
この事により理解できる事。
1．電子のラブの公転軌道が10倍に成ると、1秒間に作る磁気の光子のエネルギー（引力）は1/10になる。その事により、間隔は10倍になる。
2．電子のラブの公転軌道が10倍に成ると、1秒間に作る磁気の光子のエネルギー（引力）は1/10になる。その事により、1mの原子数(素粒子数)は1/10になる。
3．電子のラブの公転軌道が10倍に成ると、1秒間に作る磁気の光子のエネルギー（引力）は1/10になり、間隔は10倍になるので、引力＝磁気の光子のエネルギー２÷距離2であるから、10−4倍に成る。
６．    宇宙の時代において、電子のラブのエネルギーと陽子のラブのエネルギーはいくらか。
電子のラブのエネルギー＝8.665×10−24Jm÷電子のラブの公転軌道＝8.665×10−24Jm÷10am＝8.665×10−24−aJ
陽子のラブのエネルギー電子のラブのエネルギー×1834＝8.665×10−24−aJ×1834＝1.589×10−20-aJ
10-20m時代。
電子のラブのエネルギー＝8.665×10−24+20J＝8.665×10−4J
陽子のラブのエネルギー＝1.589×10−20＋20J＝1.589J
10-19m時代。
電子のラブのエネルギー＝8.665×10−24+19J＝8.665×10−5J
陽子のラブのエネルギー＝1.589×10−20＋19J＝1.589×10−1J
10-18m時代。
電子のラブのエネルギー＝8.665×10−24+18J＝8.665×10−６J
陽子のラブのエネルギー＝1.589×10−20＋18J＝1.589×10−2J
10-17m時代。
電子のラブのエネルギー＝8.665×10−24+17J＝8.665×10−７J
陽子のラブのエネルギー＝1.589×10−20＋17J＝1.589×10−3J
10-16m時代。
電子のラブのエネルギー＝8.665×10−24+16J＝8.665×10−8J
陽子のラブのエネルギー＝1.589×10−20＋16J＝1.589×10−4J
10-15m時代。
電子のラブのエネルギー＝8.665×10−24+15J＝8.665×10−9J
陽子のラブのエネルギー＝1.589×10−20＋15J＝1.589×10−5J
10-14m時代。
電子のラブのエネルギー＝8.665×10−24+14J＝8.665×10−10J
陽子のラブのエネルギー＝1.589×10−20＋14J＝1.589×10−6J
10-13m時代。
電子のラブのエネルギー＝8.665×10−24+13J＝8.665×10−11J
陽子のラブのエネルギー＝1.589×10−20＋13J＝1.589×10−7J
10-12m時代。
電子のラブのエネルギー＝8.665×10−24+12J＝8.665×10−12J
陽子のラブのエネルギー＝1.589×10−20＋12J＝1.589×10−8J
10-11m時代。
電子のラブのエネルギー＝8.665×10−24+11J＝8.665×10−13J
陽子のラブのエネルギー＝1.589×10−20＋11J＝1.589×10−9J
10-10m時代。
電子のラブのエネルギー＝8.665×10−24+10J＝8.665×10−14J
陽子のラブのエネルギー＝1.589×10−20＋10J＝1.589×10−10J
７．    地表では、E=mc2ですが、宇宙の時代ではどのようであるか。
地表では、電子のラブのエネルギーは、8.665×10−14Jです。厳密には、電子のラブの軌道が1.05836×10−10mなので、8.187×10−14Jです。電子のラブの質量は9.1095×10−31ｇです。
E=mc２＝9.1095×10−31ｇ×9×1016＝8.198×10−14J
それで、8.665×10−14J＝mc2とみなすと、
10−16m時代、電子のラブのエネルギーは8.665×10−８Jですから、8.665×10−8J ÷（8.198×10−14J）＝106  E=mc2×106＝mc2×A、です。
10−15m時代、電子のラブのエネルギーは8.665×10−9Jですから、8.665×10−9J ÷（8.198×10−14J）＝105  E=mc2×105＝mc2×A、です。
10−14m時代、電子のラブのエネルギーは8.665×10−10Jですから、8.665×10−10J ÷（8.198×10−14J）＝104  E=mc2×104＝mc2×A、です。
同様に、地表では、陽子のラブのエネルギーは、1.589×10−10Jです。厳密には、陽子のラブの軌道が5.764×10−14mなので、1.5×10−10Jです。陽子のラブの質量は1.67265×10−27ｇです。
E=mc２＝1.67265×10−27ｇ×9×1016＝1.505×10−10J
それで、1.589×10−10J＝mc2とみなすと
10−16m時代、陽子のラブのエネルギーは1.589×10−4Jですから、1.589×10−４J ÷（1.589×10−10J）＝106  E=mc2×106＝mc2×A、です。
10−15m時代、陽子のラブのエネルギーは1.589×10−5Jですから、1.589×10−5J ÷（1.589×10−10J）＝105  E=mc2×105＝mc2×A、です。
10−14m時代、陽子のラブのエネルギーは1.589×10−6Jですから、1.589×10−6J ÷（1.589×10−10J）＝104  E=mc2×104＝mc2×A、です。
表に示す。
・地表では、E=mc2ですが、宇宙の時代ではどのようであるか。
表7
2013240143.tif 000009
この事により理解できる事。
1．E=mc2の式が成立するのは、地表だけです。A=1の場だけです。
2．宇宙では、高エネルギーの場では、素粒子のエネルギーは場のエネルギーに比例し、高くなる。E=mc2×A、です。
3．宇宙では、低エネルギーの場では、素粒子のエネルギーは場のエネルギーに比例し、低くなる。E=mc2×A、です。
８．    10−14m時代、10−15m時代、10−16m時代、其々の軌道エネルギー、公転速度、螺旋回転の速度、1公転の距離、1螺旋回転の距離、螺旋回転で進んだ距離、螺旋回転の回転数はいくらか。
式
・軌道エネルギー＝軌道エネルギーの式÷軌道半径。
・公転速度＝軌道エネルギー1/2
・螺旋回転の速度＝公転速度×8.927
・1公転で進む距離＝2π×軌道半径
・１螺旋回転で進む距離＝1公転で進む距離×8.927
・螺旋回転で進む距離＝螺旋回転の速度×時代の秒数
・螺旋回転した回数＝螺旋回転で進む距離÷１螺旋回転で進む距離
10−16mの場合。
軌道エネルギー＝2.524×1029JKm÷（105×9.46×1012Km）＝2.668×1011J。公転速度＝（2.668×1011J）1/2=5.165×105Km
軌道エネルギー＝2.524×1029JKm÷（3×105×9.46×1012Km）＝8.894×1010J。公転速度＝（8.894×1010J）1/2=2.982×105Km
軌道エネルギー＝2.524×1029JKm÷（5×105×9.46×1012Km）＝5.336×1010J。公転速度＝（5.336×1010J）1/2=2.310×105Km
螺旋回転の速度＝5.165×105Km×8.927＝4.611×106Km
螺旋回転の速度＝2.982×105Km×8.927＝2.662×106Km
螺旋回転の速度＝2.310×105Km×8.927＝2.062×106Km
1公転で進む距離=2π×105×9.46×1012Km＝5.941×1018Km
1公転で進む距離=2π×3×105×9.46×1012Km＝1.782×1019Km
1公転で進む距離=2π×5×105×9.46×1012Km＝2.970×1019Km
１螺旋回転で進む距離＝5.941×1018Km×8.927＝5.304×1019Km
１螺旋回転で進む距離＝1.782×1019Km×8.927＝1.591×1020Km
１螺旋回転で進む距離＝2.970×1019Km×8.927＝2.651×1020Km
10−16m時代螺旋回転で進む距離＝4.611×106Km×108×365×24×60×60秒＝1.454×1022Km
10−16m時代螺旋回転で進む距離＝2.662×106Km×108×365×24×60×60秒＝8.396×1021Km
10−16m時代螺旋回転で進む距離＝2.062×106Km×108×365×24×60×60秒＝6.504×1021Km
螺旋回転した回数＝1.454×1022Km÷（5.304×1019Km）＝2.741×102（回転）
螺旋回転した回数＝8.396×1021Km÷（1.591×1020Km）＝5.277×10（回転）
螺旋回転した回数＝6.504×1021Km÷（2.651×1020Km）＝2.453×10（回転）
10−15mの場合。
軌道エネルギー＝2.524×1028JKm÷（106×9.46×1012Km）＝2.668×109J。公転速度＝（2.668×109J）1/2=5.165×104Km。
軌道エネルギー＝2.524×1028JKm÷（3×106×9.46×1012Km）＝8.894×108J。公転速度＝（8.894×108J）1/2=2.982×104Km。
軌道エネルギー＝2.524×1028JKm÷（5×106×9.46×1012Km）＝5.336×108J。公転速度＝（5.336×108J）1/2=2.310×104Km。
螺旋回転の速度＝5.165×104Km×8.927＝4.611×105Km
螺旋回転の速度＝2.982×104Km×8.927＝2.662×105Km
螺旋回転の速度＝2.310×104Km×8.927＝2.062×105Km
1公転で進む距離=2π×106×9.46×1012Km＝5.941×1019Km
1公転で進む距離=2π×3×106×9.46×1012Km＝1.782×1020Km
1公転で進む距離=2π×5×106×9.46×1012Km＝2.970×1020Km
１螺旋回転で進む距離＝5.941×1019Km×8.927＝5.304×1020Km
１螺旋回転で進む距離＝1.782×1020Km×8.927＝1.591×1021Km
１螺旋回転で進む距離＝2.970×1020Km×8.927＝2.651×1021Km
10−15m時代螺旋回転で進む距離＝4.611×105Km×109×365×24×60×60秒＝1.454×1022Km
10−15m時代螺旋回転で進む距離＝2.662×105Km×109×365×24×60×60秒＝8.396×1021Km
10−15m時代螺旋回転で進む距離＝2.062×105Km×109×365×24×60×60秒＝6.504×1021Km
螺旋回転した回数＝1.454×1022Km÷（5.304×1020Km）＝2.741×10（回転）
螺旋回転した回数＝8.396×1021Km÷（1.591×1021Km）＝5.277（回転）
螺旋回転した回数＝6.504×1021Km÷（2.651×1021Km）＝2.453（回転）
10−14mの場合。
軌道エネルギー＝2.524×1027JKm÷（107×9.46×1012Km）＝2.668×107J。公転速度＝（2.668×107）1/2=5.165×103Km。
軌道エネルギー＝2.524×1027JKm÷（3×107×9.46×1012Km）＝8.894×106J。公転速度＝（8.894×106J）1/2=2.982×103Km。
軌道エネルギー＝2.524×1027JKm÷（5×107×9.46×1012Km）＝5.336×106J。公転速度＝（5.336×106J）1/2=2.310×103Km。
螺旋回転の速度＝5.165×103Km×8.927＝4.611×104Km
螺旋回転の速度＝2.982×103Km×8.927＝2.662×104Km
螺旋回転の速度＝2.310×103Km×8.927＝2.062×104Km
1公転で進む距離＝2π×107×9.46×1012Km=5.941×1020Km
1公転で進む距離＝2π×3×107×9.46×1012Km=1.782×1021Km
1公転で進む距離＝2π×5×107×9.46×1012Km=2.970×1021Km
１螺旋回転で進む距離＝5.941×1020Km×8.927＝5.304×1021Km
１螺旋回転で進む距離＝1.782×1021Km×8.927＝1.591×1022Km
１螺旋回転で進む距離＝2.970×1021Km×8.927＝2.651×1022Km
10−14m時代螺旋回転で進む距離＝螺旋回転の速度×137億年の秒数＝4.611×104Km×1.37×1010×365×24×60×60秒＝1.992×1022Km
10−14m時代螺旋回転で進む距離＝2.662×104Km×1.37×1010×365×24×60×60秒＝1.150×1022Km
10−14m時代螺旋回転で進む距離＝2.062×104Km×1.37×1010×365×24×60×60秒＝8.909×1021Km
螺旋回転した回数＝1.992×1022Km÷（5.304×1021Km）＝3.756（回転）
螺旋回転した回数＝1.150×1022Km÷（1.591×1022Km）＝0.723（回転）
螺旋回転した回数＝8.909×1021Km÷（2.651×1022Km）＝0.336（回転）
・10−16m時代の宇宙の様子
表8
2013240143.tif 000010
・10−15m時代の宇宙の様子
表9
2013240143.tif 000011
・10−14m時代の宇宙の様子
表10
2013240143.tif 000012
この事により理解できたこと。
1．10−16m時代は、ブラックホール素子の時代（この事については、2007年8月25日に提出した、特願2007−246139に記した。）なので、軌道エネルギーは1010Km以上で、速度は105Km以上です。
2．高エネルギーの場ほど、軌道半径は小さい。これは、高エネルギーの場ほど、1秒間に作る磁気の光子のエネルギーが大きいからです。磁気の光子のエネルギーは引力として働くので、軌道半径は小さくなる。
3．高エネルギーの場ほど、公転速度や螺旋回転速度は速い。これは、高エネルギーの場ほど、1秒間に作る電気の光子のエネルギーが大きいからです。電気の光子のエネルギーは軌道の速度を作るので、1秒間に作る電気の光子のエネルギーが大きい軌道ほど公転速度や螺旋回転速度は速い。
4．どの時代でも螺旋回転で進む距離は変わらない。これは、螺旋回転で進む距離＝螺旋回転の速度×時代の秒数であり、螺旋回転の速度と時代の秒数は反比例するからです。但し、10−14m時代の秒数を1.37×1010年として計算したので、1.37倍に成っている。
5．高エネルギーの場ほど螺旋回転の速度は速く、時代の秒数は少ない。
6．高エネルギーの場ほど、螺旋回転数は多い。
９．    グレートウオ―ルが半径3×10７光年の軌道で、現在までに、1公転していると仮定すると、宇宙の軌道エネルギーの式は、4.827×1027Jm÷距離、です。宇宙の軌道エネルギー＝4.827×1027Jm÷距離、の式で、10−14m時代の、軌道エネルギー、公転速度、螺旋回転の速度、1公転で進む距離、１螺旋回転で進む距離、10−14m時代螺旋回転で進む距離、螺旋回転した回数を再度計算する。
この事については、2011年6月13日に提出した特願2011−130790に記した。
107光年の軌道エネルギー＝4.827×1027Jm÷（107×9.46×1012Km）＝5.103×107J。公転速度＝（5.103×107J）1/2=7.144×103Km
3×107光年の軌道エネルギー＝4.827×1027Jm÷（3×107×9.46×1012Km）＝1.701×107J。公転速度＝（1.701×107J）1/2=4.124×103Km
5×107光年の軌道エネルギー＝4.827×1027Jm÷（5×107×9.46×1012Km）＝1.021×107J。公転速度＝（1.021×107J）1/2=3.195×103Km
螺旋回転の秒速＝公転の秒速×8.927＝7.144×103Km×8.927＝6.377×104Km
螺旋回転の秒速＝4.124×103Km×8.927＝3.681×104Km
螺旋回転の秒速＝3.195×103Km×8.927＝2.852×104Km
1公転で進む距離＝2π×軌道半径＝2π×107×9.46×1012Km＝5.941×1020Km
1公転で進む距離＝2π×3×107×9.46×1012Km＝1.782×1021Km
1公転で進む距離＝2π×5×107×9.46×1012Km＝2.970×1021Km
１螺旋回転で進む距離＝1公転で進む距離×8.927＝5.941×1020Km×8.927＝5.304×1021Km
１螺旋回転で進む距離＝1.782×1021Km×8.927＝1.591×1022Km
１螺旋回転で進む距離＝2.970×1021Km×8.927＝2.651×1022Km
螺旋回転で進む距離＝螺旋回転の速度×137億年の秒数＝6.377×104Km×1.37×1010×365×24×60×60秒＝2.755×1022Km
螺旋回転で進む距離＝3.681×104Km×1.37×1010×365×24×60×60秒＝1.591×1022Km
螺旋回転で進む距離＝2.852×104Km×1.37×1010×365×24×60×60秒＝1.232×1022Km
螺旋回転した回数＝螺旋回転で進む距離÷１螺旋回転で進む距離＝2.755×1022Km÷（5.304×1021Km）＝5.194（回転）
螺旋回転した回数＝1.591×1022Km÷（1.591×1022Km）＝1（回転）
螺旋回転した回数＝1.232×1022Km÷（2.651×1022Km）＝0.465（回転）
・軌道エネルギー＝4.827×1027JKm÷軌道半径、の式で計算した場合の10−14m時代の宇宙の様子。
表11
2013240143.tif 000013
この事により理解できる事。
1．宇宙の軌道エネルギーの式により、軌道エネルギーも公転速度も螺旋回転の秒速も変わる。
2．宇宙の軌道エネルギーの式により、螺旋回転した回数も変わってくる。
3．2.524×1027JKm÷軌道半径の式により計算した場合、3×107光年のグレートウオールは、0.723回螺旋回転し、4.827×1027JKm÷軌道半径、の式により計算した場合は1回螺旋回転する事に成る。それで、宇宙の観察データーに基づき宇宙の軌道エネルギーを正確に計算できる。
【産業上の利用可能性】
【０００９】
宇宙の将来を知る事は人類の生活をどのようにするべきかの指標になる。その事によって、生産をどのようにしなければならないかの方向づけが見えてくる。
【符号の説明】
【００１０】
１    宇宙の中心のブラックホール
２    ジェット
３    10−16m時代、ジェットが届いた軌道半径は2.036×105光年
４    クエーサー
５    10−14m時代、ジェットが届いた軌道半径は2.036×107光年
６    銀河
【図１】
2013240143.tif 000025